【手続補正書】
【提出日】平成29年7月27日(2017.7.27)
【手続補正１】
【補正対象書類名】特許請求の範囲
【補正対象項目名】全文
【補正方法】変更
【補正の内容】
【特許請求の範囲】
【請求項１】
記憶媒体に格納され携帯情報通信端末に以下の処理を行わせるサービス状態変化通知プログラムであって、
この状態変化通知プログラムは、上記携帯情報通信端末の通信帯域をこの携帯情報通信端末から利用するサービスの接続先毎に動的に変動させる帯域制御システムと協働するものであり、
このプログラムは：
（１）  前記携帯情報端末に、この携帯情報端末から利用する前記サービスの接続先を検出させる工程と；
（２）  前記携帯情報端末に、この携帯情報端末を通信ネットワーク上でユニークに特定するための携帯情報端末ＩＰアドレスを取得させる工程と；
（３）  前記携帯情報端末に、上記サービスの接続先及び上記携帯状態端末ＩＰアドレスを前記帯域制御システムに送信させる工程と；
（４）  前記携帯情報端末に、ユーザが上記サービスについての接続ポリシーを設定するための設定インタフェースを生成させると共に、この設定インタフェースを通して設定された上記サービスについての接続ポリシーを接続環境管理サーバを経由して帯域制御ルータに送信させる工程と
を実行させる命令を有し、
前記帯域制御システムは、
前記接続環境管理サーバと前記帯域制御ルータとを有し、
前記接続環境管理サーバは、上記携帯情報端末ＩＰアドレスを前記帯域制御ルータに送信するものであり、
前記帯域制御ルータは、前記接続ポリシーに応じ、前記特定された携帯情報端末からのパケットを優先制御若しくは所定の通信帯域で転送するものである
ことを特徴とするプログラム。
【請求項２】
請求項１記載のプログラムにおいて、
前記（１）の工程は、前記携帯情報端末に、この携帯情報端末上でアクティブなサービスの種類を検出させる工程をさらに有する
ことを特徴とするプログラム。
【請求項３】
請求項１記載のプログラムにおいて、
さらに、
前記携帯情報端末に、この携帯情報端末の地理的な位置を検出させる工程と、
前記携帯情報端末に、上記携帯情報端末の地理的な位置を前記携帯情報端末ＩＰアドレスと共に前記帯域制御システムに送信させる工程と
を有することを特徴とするプログラム。
【請求項４】
請求項１記載のプログラムにおいて、
前記接続環境管理サーバは、
優先制御若しくは帯域制御するべきサービスの種類とそのサービスについての接続ポリシーとが格納されているテーブルを参照し、サービスの種類に応じた接続ポリシーを上記テーブルから取り出して上記帯域制御ルータに送信するものである
ことを特徴とするプログラム。
【請求項５】
請求項１記載のプログラムにおいて、
前記接続ポリシーは、特定のサービス毎に異なる通信優先度若しくは通信帯域の設定を含むものである
ことを特徴とするプログラム。
【請求項６】
請求項１記載のプログラムにおいて、
帯域制御ルータによる携帯通信端末毎のデータ通信量を監視し、携帯情報端末でアクティブなサービスの種類に応じて、サービス毎のダウンロードデータ通信量を記録するデータ通信量記録工程を有する
を有することを特徴とするプログラム。
【請求項７】
請求項６記載のプログラムにおいて、
上記携帯情報端末でアクティブなサービスの種類に応じ、前記データ通信量記録工程で記録されたサービス毎のデータ通信量が所定の上限値に達したかを判断する通信量上限判断工程を有するものであり、
このシステムは、上記通信量上限判断工程の判断に応じて前記帯域制御ルータによる当該携帯情報端末からのパケットの転送を制限する通信制限工程を有する
ことを特徴とするプログラム。
【請求項８】
請求項６記載のプログラムにおいて、
前記データ通信量記録工程で記録されたサービス毎のデータ通信量に基づき、サービス毎の回線通信混雑度を算出し、
前記混雑度を表示するユーザに表示するための混雑度表示インタフェースを生成する混雑度表示工程を有する
ことを特徴とするプログラム。
【請求項９】
請求項６記載のプログラムにおいて、
前記データ通信量記録工程で記録されたサービス毎のデータ通信量をユーザに表示するためのデータ通信量表示インタフェースを生成する通信量表示工程を有する
ことを特徴とするプログラム。
【請求項１０】
請求項６記載のプログラムにおいて、
前記データ通信量記録工程で記録されたサービス毎のデータ通信量に基づき、ユーザ課金することを特徴とするプログラム。
【請求項１１】
請求項１記載のプログラムにおいて、
前記接続ポリシーは、特定のサービス毎に異なるデータ圧縮度の設定を含むものである
ことを特徴とするプログラム。
【請求項１２】
請求項１１記載のプログラムにおいて、
前記接続ポリシーのデータ圧縮度は、特定のサービス毎に異なるデータ変換方法の設定を含むものである
ことを特徴とするプログラム。
【請求項１３】
請求項１記載のプログラムにおいて、
前記接続ポリシーは、特定のサービス毎に異なる通信可能な時間帯、場所の設定を含むものである
ことを特徴とするプログラム。
【請求項１４】
請求項１記載のプログラムにおいて、
ユーザ課金情報を受け取り、携帯情報端末に関連付けるユーザ課金情報取得工程を有する
ことを特徴とするプログラム。
【請求項１５】
請求項１記載のプログラムにおいて、
前記優先制御するサービスの種別は、音声通話のためのサービスを少なくとも含む
ことを特徴とするプログラム。
【請求項１６】
記憶媒体に格納され携帯情報通信端末に以下の処理を行わせるサービス状態変化通知プログラムであって、
この状態変化通知プログラムは、上記携帯情報通信端末の通信帯域をこの携帯情報通信端末から利用するサービスの接続先毎に動的に変動させる帯域制御システムと協働するものであり、
このプログラムは：
（１）  前記携帯情報端末に、この携帯情報端末から利用する前記サービスの接続先を検出させる工程と；
（２）  前記携帯情報端末に、この携帯情報端末を通信ネットワーク上でユニークに特定するための携帯情報端末ＩＰアドレスを取得させる工程と；
（３）  前記携帯情報端末に、上記サービスの接続先及び上記携帯状態端末ＩＰアドレスを前記帯域制御システムに送信させる工程と；
（４）  上記サービスについての接続ポリシーを接続環境管理サーバを経由して帯域制御ルータに送信させる工程と
を実行させる命令を有し、
前記帯域制御システムは、
前記接続環境管理サーバと前記帯域制御ルータとを有し、
前記接続環境管理サーバは、上記携帯情報端末ＩＰアドレスを前記帯域制御ルータに送信するものであり、
前記帯域制御ルータは、前記接続ポリシーに応じ、前記特定された携帯情報端末からのパケットを優先制御若しくは所定の通信帯域で転送するものである
ことを特徴とするプログラム。
【請求項１７】
携帯情報端末に以下の工程を行わせるサービス状態変化通知方法であって、
この方法は、サービス状態変化通知プログラムが、上記携帯情報端末の通信帯域をこの携帯情報端末から利用するサービスの接続先毎に動的に変動させる帯域制御システムと協働するものであり、
この方法は：
（１）  前記携帯情報端末に、この携帯情報端末から利用する前記サービスの接続先を検出させる工程と；
（２）  前記携帯情報端末に、この携帯情報端末を通信ネットワーク上でユニークに特定するための携帯情報端末ＩＰアドレスを取得させる工程と；
（３）  前記携帯情報端末に、上記サービスの接続先及び携帯情報端末ＩＰアドレスを前記帯域制御システムに送信させる工程と；
（４）  前記携帯情報端末に、ユーザが上記サービスについての接続ポリシーを設定するための設定インタフェースを生成させると共に、この設定インタフェースを通して設定された上記サービスについての接続ポリシーを接続環境管理サーバを経由して帯域制御ルータに送信させる工程と
を有し、
前記帯域制御システムは、
前記接続環境管理サーバと、前記帯域制御ルータを有し、
前記接続環境管理サーバは、上記携帯情報端末ＩＰアドレスを前記帯域制御ルータに送信するものであり、
前記帯域制御ルータは、前記接続ポリシーに応じ、前記特定された携帯情報端末からのパケットを優先制御若しくは所定の通信帯域で転送するものである
ことを特徴とする方法。
【請求項１８】
請求項１７記載の方法において、
前記（１）の工程は、前記携帯情報端末に、この携帯情報端末上でアクティブなサービスの種類を検出させる工程をさらに有する
ことを特徴とする方法。
【請求項１９】
請求項１７記載の方法において、
さらに、
前記携帯情報端末に、この携帯情報端末の地理的な位置を検出させる工程と、
前記携帯情報端末に、上記携帯情報端末の地理的な位置を前記携帯情報端末ＩＰアドレスと共に前記帯域制御システムに送信させる工程と
を有することを特徴とする方法。
【請求項２０】
請求項１７記載の方法において、
前記接続環境管理サーバは、
優先制御若しくは帯域制御するべきサービスの種類とそのサービスについての接続ポリシーとが格納されているテーブルを参照し、サービスの種類に応じた接続ポリシーを上記テーブルから取り出して上記帯域制御ルータに送信するものである
ことを特徴とする方法。
【請求項２１】
請求項１７記載の方法において、
前記接続ポリシーは、特定のサービス毎に異なる通信優先度若しくは通信帯域の設定を含むものである
ことを特徴とする方法。
【請求項２２】
請求項１７記載の方法において、
帯域制御ルータによる携帯通信端末毎のデータ通信量を監視し、携帯情報端末でアクティブなアプリケーションの種類に応じて、サービス毎のダウンロードデータ通信量を記録するデータ通信量記録工程を有する
ことを特徴とする方法。
【請求項２３】
請求項２２記載の方法において、
上記携帯情報端末でアクティブなサービスの種類に応じ、前記データ通信量記録工程で記録されたサービス毎のデータ通信量が所定の上限値に達したかを判断する通信量上限判断工程を有するものであり、
このシステムは、上記通信量上限判断工程の判断に応じて前記帯域制御ルータによる当該携帯情報端末からのパケットの転送を制限する通信制限工程を有する
ことを特徴とする方法。
【請求項２４】
請求項２２記載の方法において、
前記データ通信量記録工程で記録されたサービス毎のデータ通信量に基づき、サービス毎の回線通信混雑度を算出し、
前記混雑度を表示するユーザに表示するための混雑度表示インタフェースを生成する混雑度表示工程を有する
ことを特徴とする方法。
【請求項２５】
請求項２２記載の方法において、
前記データ通信量記録工程で記録されたサービス毎のデータ通信量をユーザに表示するためのデータ通信量表示インタフェースを生成する通信量表示工程を有する
ことを特徴とする方法。
【請求項２６】
請求項２２記載の方法において、
前記データ通信量記録工程で記録されたサービス毎のデータ通信量に基づき、ユーザ課金する
ことを特徴とする方法。
【請求項２７】
請求項１７記載の方法において、
前記接続ポリシーは、特定のサービス毎に異なるデータ圧縮度の設定を含むものである
ことを特徴とする方法。
【請求項２８】
請求項２７記載の方法において、
前記接続ポリシーのデータ圧縮度は、特定のサービス毎に異なるデータ変換方法の設定を含むものである
ことを特徴とする方法。
【請求項２９】
請求項１７記載の方法において、
前記接続ポリシーは、特定のサービス毎に異なる通信可能な時間帯、場所の設定を含むものである
ことを特徴とする方法。
【請求項３０】
請求項１７記載の方法において、
ユーザ課金情報を受け取り、携帯情報端末に関連付けるユーザ課金情報取得工程を有する
ことを特徴とする方法。
【請求項３１】
請求項１７記載の方法において、
前記優先制御するサービスの種別は、音声通話のためのサービスを少なくとも含む
ことを特徴とする方法。
【請求項３２】
携帯情報端末に以下の工程を行わせるサービス状態変化通知方法であって、
この方法は、サービス状態変化通知プログラムが、上記携帯情報端末の通信帯域をこの携帯情報端末から利用するサービスの接続先毎に動的に変動させる帯域制御システムと協働するものであり、
この方法は：
（１）  前記携帯情報端末に、この携帯情報端末から利用する前記サービスの接続先を検出させる工程と；
（２）  前記携帯情報端末に、この携帯情報端末を通信ネットワーク上でユニークに特定するための携帯情報端末ＩＰアドレスを取得させる工程と；
（３）  前記携帯情報端末に、上記サービスの接続先及び携帯情報端末ＩＰアドレスを前記帯域制御システムに送信させる工程と；
（４）  上記サービスについての接続ポリシーを接続環境管理サーバを経由して帯域制御ルータに送信させる工程と
を有し、
前記帯域制御システムは、
前記接続環境管理サーバと、前記帯域制御ルータを有し、
前記接続環境管理サーバは、上記携帯情報端末ＩＰアドレスを前記帯域制御ルータに送信するものであり、
前記帯域制御ルータは、前記接続ポリシーに応じ、前記特定された携帯情報端末からのパケットを優先制御若しくは所定の通信帯域で転送するものである
ことを特徴とする方法。